(57)【要約】【課題】光ケーブルの接続作業などを行うときの外箱を取り外す手間をなくすとともに光ケーブルの挟込みを防止することができる光ケーブル用クロージャを提供する。【解決手段】光ケーブル１０を収納する細長い容器本体４上にカバー部材５を長手方向に摺動可能に設け、停止部材１３で停止させる。容器本体４は、上部が開口した箱形である。停止部材１３は、容器本体４の端面７またはカバー部材５の端面に設けられ、カバー部材５の摺動を止める突出位置とカバー部材５の摺動を妨げない引込位置との間で回動可能に取り付けられた突片からなる。容器本体４およびカバー部材５には、案内レール１５および案内溝１６がそれぞれ形成されている。【選択図】図１
2007140028.tif 000002
【特許請求の範囲】
【請求項１】
光ケーブルを収納するための細長い容器本体（４；２４）と、
該容器本体上に長手方向に摺動可能に設けられたカバー部材（５；２５）と、
該カバー部材を停止位置に停止させるための停止部材（１３；３３）と、
を具備することを特徴とする、光ケーブル用クロージャ。
【請求項２】
前記容器本体に、前記カバー部材を摺動させるための案内レール（１５；３５）および案内溝（１６；３６）の一方が形成されており、
前記カバー部材に、前記案内レールおよび前記案内溝の他方が形成されている、
ことを特徴とする、請求項１記載の光ケーブル用クロージャ。
【請求項３】
前記容器本体（２４）および前記カバー部材（２５）が、両側部にフランジ部（２９，３１）をそれぞれ有し、
前記容器本体の前記フランジ部（２９）に、前記案内レール（３５）および前記案内溝（３６）の一方が形成されており、
前記カバー部材の前記フランジ部（３１）に、前記案内レールおよび前記案内溝の他方が形成されている、
ことを特徴とする、請求項１または２記載の光ケーブル用クロージャ。
【請求項４】
前記容器本体が、上部が開口した箱形をなし、
前記停止部材が、前記容器本体の両端面（７）または前記カバー部材の両端面に設けられた突片からなり、
該突片が、前記カバー部材の摺動を止める突出位置と前記カバー部材の摺動を妨げない引込位置との間で回動可能に取り付けられている、
ことを特徴とする、請求項１または２記載の光ケーブル用クロージャ。
【請求項５】
前記容器本体が、上部が開口した箱形をなし、
前記停止部材が、前記容器本体のフランジ部または前記カバー部材のフランジ部に形成された前記案内レールの両端部に設けられた突片からなり、
該突片が、前記カバー部材の摺動を止める突出位置と前記カバー部材の摺動を妨げない引込位置との間で回動可能に取り付けられている、
ことを特徴とする、請求項３記載の光ケーブル用クロージャ。
【請求項６】
前記容器本体の両端面に、グロメット（１８；３８）が設けられており、
前記容器本体の両端面の内側に、少なくとも２個の仕切り部材（３９）が、前記容器本体の内側に引き倒し可能にかつ前記グロメットを挟むように設けられていることを特徴とする、請求項１乃至５いずれかに記載の光ケーブル用クロージャ。
【請求項７】
前記仕切り部材が、柱状の形状を有し、柱状部が起立するように根元部分にヒンジ部（４０）を備えることを特徴とする、請求項６記載の光ケーブル用クロージャ。
【発明の詳細な説明】
【技術分野】
【０００１】
本発明は、光ケーブル用クロージャに関し、特に、光ケーブルの接続作業などを行うのに好適な光ケーブル用クロージャに関する。
【背景技術】
【０００２】
近年、光ケーブルを用いた光通信ネットワークが普及してきている。光通信ネットワークでは、複数の心線を含む光ケーブルを接続したり分岐したりする場合に、光ケーブル用クロージャが用いられる。光ケーブル用クロージャは、外箱とこれを閉鎖する蓋とで構成されているか、上下に分割した外箱で構成されている。
【０００３】
下記の特許文献１には、光ケーブル用クロージャの一例として、外箱を形成する分割した２つの開閉部分をヒンジで連結した筒状のスリーブと、光ケーブルを把持する把持部を有するフレームと、光ケーブルの複数の心線をスリーブ内にて接続して収容する接続部収納トレーおよび余長収納部とを備えたクロージャが開示されている。このクロージャによれば、光ケーブルの接続作業などをする際には、クロージャの外箱であるスリーブを開いて取り外し、内部の接続部収納トレーをフレームと一緒に露出した状態で残して作業を行っている。
【特許文献１】特開２００２−２４３９５１号公報
【発明の開示】
【発明が解決しようとする課題】
【０００４】
しかしながら、上記特許文献１に開示されているクロージャでは、光ケーブルの接続作業などを行う際には、吊線からクロージャを降ろして外箱を外さなければならず、また、光ケーブルの接続作業などの完了後に再びスリーブを取り付ける際には、光ケーブルの挟込みに注意しながらスリーブの取付け作業をしなければならず、煩雑であるという問題があった。
【０００５】
本発明の目的は、光ケーブルの接続作業などを行うときの外箱を取り外す手間をなくすとともに光ケーブルの挟込みを防止することができる光ケーブル用クロージャを提供することにある。
【課題を解決するための手段】
【０００６】
本発明の光ケーブル用クロージャは、光ケーブルを収納するための細長い容器本体（４；２４）と、該容器本体上に長手方向に摺動可能に設けられたカバー部材（５；２５）と、該カバー部材を停止位置に停止させるための停止部材（１３；３３）とを具備することを特徴とする。
ここで、前記容器本体に、前記カバー部材を摺動させるための案内レール（１５；３５）および案内溝（１６；３６）の一方が形成されており、前記カバー部材に、前記案内レールおよび前記案内溝の他方が形成されていてもよい。
前記容器本体（２４）および前記カバー部材（２５）が、両側部にフランジ部（２９，３１）をそれぞれ有し、前記容器本体の前記フランジ部（２９）に、前記案内レール（３５）および前記案内溝（３６）の一方が形成されており、前記カバー部材の前記フランジ部（３１）に、前記案内レールおよび前記案内溝の他方が形成されていてもよい。
前記容器本体が、上部が開口した箱形をなし、前記停止部材が、前記容器本体の両端面（７）または前記カバー部材の両端面に設けられた突片からなり、該突片が、前記カバー部材の摺動を止める突出位置と前記カバー部材の摺動を妨げない引込位置との間で回動可能に取り付けられていてもよい。
前記容器本体が、上部が開口した箱形をなし、前記停止部材が、前記容器本体のフランジ部または前記カバー部材のフランジ部に形成された前記案内レールの両端部に設けられた突片からなり、該突片が、前記カバー部材の摺動を止める突出位置と前記カバー部材の摺動を妨げない引込位置との間で回動可能に取り付けられていてもよい。
前記容器本体の両端面に、グロメット（１８；３８）が設けられており、前記容器本体の両端面の内側に、少なくとも２個の仕切り部材（３９）が、前記容器本体の内側に引き倒し可能にかつ前記グロメットを挟むように設けられていてもよい。
前記仕切り部材が、柱状の形状を有し、柱状部が起立するように根元部分にヒンジ部（４０）を備えてもよい。
【発明の効果】
【０００７】
本発明の光ケーブル用クロージャは、以下に示す効果を奏する。
（１）光ケーブルの接続作業などの際には、容器本体上に摺動可能に設けられたカバー部材とカバー部材を停止位置に保持する停止部材との係合を外し、カバー部材を摺動させることで容器本体の開口部を露出させることができるので、吊線から光ケーブル用クロージを外す手間と外箱を外す手間とを省略することができる。
（２）光ケーブルを容器本体の開口部からはみ出さないように容器本体内に収容することができるので、カバー部材を摺動させても光ケーブルがカバー部材と容器本体との間に挟まれることを防止することができる。
【発明を実施するための最良の形態】
【０００８】
光ケーブルの接続作業などを行うときの外箱を取り外す手間をなくすとともに光ケーブルの挟込みを防止するという目的を、光ケーブルを収納するための細長い容器本体上にカバー部材を長手方向に摺動可能に設けることにより実現した。
【実施例１】
【０００９】
以下、本発明の光ケーブル用クロージャの実施例について、図面を参照して説明する。
まず、本発明の第１の実施例による光ケーブル用クロージャについて、図１乃至図４を参照して説明する。
本実施例による光ケーブル用クロージャ１は、図１に示すように、電柱間に設置された吊線２に２本の吊下げ支持線３により吊下げ支持されるかつ光ケーブル１０を収納するための細長い容器本体４と、容器本体４上に長手方向に摺動可能に設けられたカバー部材５とを具備する。容器本体４の両端面７には、カバー部材５の摺動を制限する停止部材１３が２個ずつ設けられている。
【００１０】
容器本体４は、上部が開口した箱形をなしている。すなわち、容器本体４は、図１乃至図４に示すように、光ケーブル１０の架設方向に沿った細長いかつ横断面形状が四角形の形状を有し、上面に開口部８が形成され、その下方角部が円弧状に形成され、その底部から連続した側部６と両端面７とを有する。
容器本体４には、図３に示すように、光ケーブル１０を把持するための把持手段や、光ケーブル１０の心線１１を接続して収容するための収容トレー１７などが設けられている。
【００１１】
カバー部材５は、容器本体４の開口部８を開閉することができるように、長手方向に摺動可能に取り付けられている。カバー部材５の摺動を案内するため、容器本体４には、容器本体４の両側縁に沿って一対の案内レール１５が形成されており、一対の案内レール１５の間に開口部８を含む空所が形成されている。カバー部材５には、一対の案内レール１５がそれぞれ嵌合する一対の案内溝１６が形成されている。
【００１２】
案内レール１５は、上部が大きく下部が小さく縊れた断面形状を有し、また、案内溝１６は、案内レール１５の断面形状に対応する断面形状を有する。これにより、カバー部材５は、容器本体４から上方に離脱することなく長手方向に摺動可能とされている。
【００１３】
なお、案内レール１５と案内溝１６とは、容器本体４またはカバー部材５のいずれに形成してもよい。すなわち、容器本体４に案内溝１６を形成し、カバー部材５に案内レール１５を形成することもできる。
【００１４】
突片からなる停止部材１３は、容器本体４の両端面７に２つずつ回動可能に設けられており、通常時（光ケーブル用クロージャ１が吊線２に吊り下げられているとき）は、カバー部材５が容器本体４から抜け出て外れるのを防止するために、図２に示すように、突片の先端がカバー部材５の両端面に当接するようにされ、一方、カバー部材５を長手方向に摺動する際には、突片の先端が容器本体４の両端面７に当接するようにされる。すなわち、突片は、カバー部材５の摺動を止める突出位置とカバー部材５摺動を妨げない引込位置との間で回動可能に取り付けられている。
【００１５】
換言すれば、停止部材１３を構成する突片は、容器本体４の端面７から上方に突出するように位置決めされた場合には、カバー部材５を停止位置に停止させてその位置に保持する。一方、停止部材１３が下方に回動されて横向きまたは下向きに倒れた状態に位置決めされた場合には、カバー部材５の端面から離れてしまうので、カバー部材５は長手方向に摺動可能になる。
【００１６】
このように、カバー部材５の案内溝１６は容器本体４の案内レール１５に沿って摺動可能に係合されており、その摺動が停止部材１３によって制限される。
したがって、光ケーブル用クロージャ１内において心線１１（図３参照）同士を接続する光ケーブル１０の接続作業や、後述するように端面７の光ケーブル導入口９に設けられたゴム製のグロメット１８の交換作業などを行う場合には、停止部材１３によるカバー部材５の停止保持を解除してカバー部材５を長手方向に摺動可能とする。その後、カバー部材５を摺動して容器本体４から外せば、光ケーブル用クロージャ１の開口部８が露出して、光ケーブル用クロージャ１内が露呈して、光ケーブル用クロージャ１を吊線２に吊下げた状態で心線１１の接続作業やグロメット１８の交換作業などを行うことができる。
【００１７】
なお、光ケーブル用クロージャ１の片側のみから光ケーブル１０を導入する場合や、光ケーブル用クロージャ１の片側のグロメット１８のみを交換する場合には、たとえばカバー部材５を長手方向に半分以上摺動したのち、再び停止部材１３を起こしてカバー部材５の内側の空所や内側に形成された窪みなどに係合させることにより、カバー部材５の抜出しを阻止してカバー部材５の落下を防止しながら、光ケーブル１０の導入作業やグロメット１８の交換作業を行うこともできる。
【００１８】
光ケーブル１０の接続作業などが終了したならば、カバー部材５を容器本体４の案内レール１５に沿って摺動し、停止部材１３により元の停止位置にカバー部材５を位置付けて光ケーブル用クロージャ１を閉じる。このとき、容器本体４の開口部８からはみ出ないように光ケーブル１０を容器本体４内に収容しておけば、カバー部材５を摺動させても、光ケーブル１０の心線１１を案内レール１５と案内溝１６との間に挟み込むことを防ぐことができる。
【００１９】
なお、停止部材１３は、カバー部材５を所定の停止位置に停止させて保持するものであり、一端において回動可能に支持されて、カバー部材５の摺動を止める突出位置とカバー部材５の摺動を妨げない引込位置との間で回動可能に取り付けられるものであれば、他の同様な部材を使用することができるものである。たとえば、ストッパとして作用する回動可能な部材や、上下方向に突出位置と引込位置との間を昇降するロッドやバー部材、または、ばねで押圧された鋼球が半球状の窪みに係合するクリック部材などでもよい。
【実施例２】
【００２０】
次に、本発明の第２の実施例による光ケーブル用クロージャについて、図５乃至図８を参照して説明する。
本実施例による光ケーブル用クロージャ２０は、図５に示すように、電柱間に設けられた吊線２２に２本の吊下げ支持線２３によって吊下げ支持されるかつ光ケーブル１０を収納するための細長い容器本体２４と、容器本体２４上に長手方向に摺動可能に設けられたカバー部材２５とを具備する。
【００２１】
容器本体２４は、光ケーブル３０の架設方向に細長いかつ横断面形状が四角形の箱型をなし、底部と連続した側部２６と両端面２７とを有し、上部に開口部２８（図６参照）が形成され、開口部２８を開閉するようにカバー部材２５が長手方向に摺動可能とされている。また、容器本体２４の下方角部は、円弧状に形成されている。
容器本体２４には、光ケーブル３０を把持するための把持手段や、光ケーブル３０の心線を接続して収容するための収容トレー３７（図６参照）などが設けられている。
【００２２】
容器本体２４は、その上部に両側に張り出したフランジ部２９を有し、また、カバー部材２５は、その下部に両側に張り出したフランジ部３１を有する。なお、容器本体２４のフランジ部２９の厚さは、好ましくは、容器本体２４の側部２６の厚さと同じにする。
容器本体２４のフランジ部２９には、カバー部材２５を摺動案内するための案内レール３５が一体的に形成されており、また、カバー部材２５のフランジ部３１の下面には、カバー部材２５を摺動案内するための案内溝３６が形成されている。
【００２３】
案内レール３５および案内溝３６は、上述した第１の実施例による光ケーブル用クロージャ１の案内レール１５および案内溝１６と同様の形状をそれぞれ有する。したがって、容器本体２４の案内レール３５がカバー部材２５の案内溝３６に係合することにより、カバー部材２５が容器本体２４に対して上方向に離脱することなく摺動できる。
【００２４】
案内レール３５および案内溝３６は容器本体２４のフランジ部２９およびカバー部材２５のフランジ部３１に形成されているため、カバー部材３５を摺動させても、容器本体２４内に収容された光ケーブル３０の心線を案内レール３５と案内溝３６との間に挟み込むことを防ぐことができる。
【００２５】
なお、案内レール３５をカバー部材２５のフランジ部３１に形成し、案内溝３６を容器本体２４のフランジ部２９に形成してもよい。
【００２６】
カバー部材２５の抜け落ちを防止するために、容器本体２４の案内レール３５の両端部には、停止部材３３が回動可能に設けられている。停止部材３３の先端を、たとえば上に向けるように回動すると、停止部材３３が案内レール３５から上方に突出するので、カバー部材２５の摺動が阻止され、カバー部材２５が停止位置に保持される。一方、停止部材３３の先端を下に向けるように回動したときは、カバー部材２５を摺動させることで容器本体２４の開口部２８を開放して、容器本体２４内での光ケーブル３０の接続作業や分岐作業などを行うことができる。
【００２７】
なお、停止部材３３は、案内レール３５の両端部に設けられているが、容器本体２４の両端面２７やフランジ部２９の端面その他適宜の箇所に設けてもよく、また、図５に示すような形状に限らず、同様な機能を有する適宜の部材を使用できる。
【００２８】
本実施例による光ケーブル用クロージャ２０では、図７および図８に示すように、容器本体２４の両端面２７の内側には、４つの柱状の仕切り部材３９が、容器本体２４の内側に引き倒し可能にかつ３つのグロメット３８をそれぞれ挟むように設けられている。仕切り部材３９は、電気的絶縁材料の合成樹脂からなり、柱状の形状を有し、柱状部が起立するように根元部分にヒンジ部４０を備えている。
【００２９】
これにより、経年劣化したグロメット３８を交換する場合には、図８に示すように、４つの仕切り部材３９を容器本体２４の内側に倒して３つのグロメット３８を露呈すれば、グロメット３８を容易に取り出すことができ、グロメット３８の交換作業が容易になる。
【００３０】
なお、図１に示した光ケーブル用クロージャ１においても、本体容器４の両端面７の内側に、５個の仕切り部材を、容器本体４の内側に引き倒し可能にかつ４個のグロメット１８を挟むように設けてもよい。
【産業上の利用可能性】
【００３１】
本発明の光ケーブル用クロージャは、光通信ネットワーク用の光ケーブルを架設するのに利用することができる。
【図面の簡単な説明】
【００３２】
【図１】本発明の第１の実施例による光ケーブル用クロージャの構成を示す斜視図である。
【図２】図１に示した光ケーブル用クロージャ１を容器本体４とカバー部材５とに分けて示した斜視図である。
【図３】図２に示した光ケーブル用クロージャ１の容器本体４の平面図である。
【図４】図１に示した光ケーブル用クロージャ１の中央垂直断面図である。
【図５】本発明の第２の実施例による光ケーブル用クロージャの構成を示す斜視図である。
【図６】図５に示した光ケーブル用クロージャ２０の中央垂直断面図である。
【図７】図５に示した光ケーブル用クロージャ２０の端面２７の内側の斜視図である。
【図８】図７に示した仕切り部材３９を容器本体２４の内側に倒した斜視図である。
【符号の説明】
【００３３】
１，２０  光ケーブル用クロージャ
２，２２  吊線
３，２３  吊下げ支持線
４，２４  容器本体
５，２５  カバー部材
６，２６  側部
７，２７  端面
８，２８  開口部
９  光ケーブル導入口
１０，３０  光ケーブル
１１  心線
１３，３３  停止部材
１５，３５  案内レール
１６，３６  案内溝
１７，３７  収納トレー
１８，３８  グロメット
２９，３１  フランジ部
３９  仕切り部材
４０  ヒンジ部
【図１】
2007140028.tif 000003
【図２】
2007140028.tif 000004
【図３】
2007140028.tif 000005
【図４】
2007140028.tif 000006
【図５】
2007140028.tif 000007
【図６】
2007140028.tif 000008
【図７】
2007140028.tif 000009
【図８】
2007140028.tif 000010